(57)【要約】【課題】出発後に交通状況が変化しても、ユーザを到着希望時刻までに目的地に到着させることを可能にする交通案内装置を提供する。【解決手段】管理部２０は、出発地、目的地および到着希望時刻を受け付けると、到着希望時刻までに目的地に着く経路を交通情報格納装置から検索し、その経路を携帯端末機３に送信する。その後、取得部２２が携帯端末機３から現在位置を取得し、判定部２３は、交通情報格納サーバ１が格納する交通情報を参照して、ユーザが現在位置から最適交通情報が含む経路に従って目的地に到着する到着推定時刻を推定し、その到着推定時刻が到着希望時刻を超えているか否かを判定する。到着推定時刻が到着希望事項を超えていると、通信部１３、そのアラームメッセージを携帯端末機３に送信する。【選択図】図１
2007232686.tif 000002
【特許請求の範囲】
【請求項１】
経路に関する情報を更新しながら格納する交通情報格納装置と、携帯端末機と、に通信可能な交通案内装置であって、
前記携帯端末機から、出発地、目的地および到着希望時刻を受け付けると、該到着希望時刻までに該目的地に着く経路を、前記交通情報格納装置から検索し、その検索結果を該携帯端末機に送信する管理手段と、
前記管理手段が前記検索結果を前記携帯端末機に送信した後に、前記携帯端末機の現在位置を取得する取得手段と、
前記携帯端末機のユーザが、前記取得手段にて取得された現在位置から前記検索結果に示された経路を通って前記目的地に移動する場合に、該目的地に到着する到着推定時刻を、前記交通情報格納装置を参照して推定し、該到着推定時刻が前記到着希望時刻を超えているか否かを判定する判定手段と、
前記判定手段にて前記到着推定時刻が前記到着希望時刻を超えていると判定されると、アラーム情報を前記携帯端末機に送信する通信手段と、を含む交通案内装置。
【請求項２】
請求項１に記載の交通案内装置において、
前記判定手段にて前記到着推定時刻が前記到着希望時刻を超えていると判定されると、前記取得手段にて取得された現在位置にいる前記ユーザが前記到着希望時刻までに前記目的地に着く経路を、前記交通情報格納装置から再検索し、その再検索結果を前記携帯端末機に送信する作成手段と、をさらに含む交通案内装置。
【請求項３】
請求項１または２に記載の交通案内装置に、出発地、目的地および到着希望時刻を送信し、該交通案内装置から前記検索結果を受信する接続手段と、前記接続手段が受信した検索結果を表示する表示手段と、を含む携帯端末機において、
現在位置を測定する測定手段と、
前記接続手段が前記検索結果を受信した後、前記測定手段が測定した現在位置を前記接続手段から前記交通案内装置に送信する処理手段と、を含み、
前記接続手段は、前記交通案内装置から前記アラーム情報を受信し、
前記表示手段は、前記接続手段が受信したアラーム情報を表示することを特徴とする携帯端末機。
【請求項４】
請求項３に記載の携帯端末機において、
前記目的地および到着希望時刻を受け付ける入力手段をさらに含み、
前記測定手段は、前記入力手段が前記目的地および到着希望時刻を受け付けると、前記現在位置を前記出発地として測定し、
前記接続手段は、前記入力手段が受け付けた目的地および到着希望時刻と、前記測定手段が測定した出発地と、を前記交通案内装置に送信する、携帯端末機。
【請求項５】
経路に関する情報を更新しながら格納する交通情報格納装置と、携帯端末機と、前記交通情報格納装置および前記携帯端末機と通信可能な交通案内装置と、を含む交通案内システムであって、
前記交通案内装置は、
前記携帯端末機から、出発地、目的地および到着希望時刻を受け付けると、該到着希望時刻までに該目的地に着く経路を、前記交通情報格納装置から検索し、その検索結果を該携帯端末機に送信する管理手段と、
前記管理手段が前記検索結果を前記携帯端末機に送信した後に、前記携帯端末機の現在位置を取得する取得手段と、
前記携帯端末機のユーザが、前記取得手段にて取得された現在位置から前記検索結果に示された経路を通って前記目的地に移動する場合に、該目的地に到着する到着推定時刻を、前記交通情報格納装置を参照して推定し、該到着推定時刻が前記到着希望時刻を超えているか否かを判定する判定手段と、
前記判定手段にて前記到着推定時刻が前記到着希望時刻を超えていると判定されると、アラーム情報を前記携帯端末機に送信する通信手段と、を含み、
前記携帯端末機は、
前記出発地、前記目的地および前記到着希望時刻を前記交通案内装置に送信し、前記検索結果およびアラーム情報を前記交通案内装置から受信する接続手段と、
前記接続手段が受信した検索結果およびアラーム情報を表示する表示手段と、を含む、交通案内システム。
【請求項６】
請求項５に記載の交通案内システムにおいて、
前記携帯端末機は、
前記目的地および到着希望時刻を受け付ける入力手段と、
前記入力手段が前記目的地および到着希望時刻を受け付けると、前記現在位置を前記出発地として測定する測定手段と、をさらに含み、
前記接続手段は、前記入力手段が受け付けた目的地および到着希望時刻と、前記測定手段が測定した出発地と、を前記交通案内装置に送信する、交通案内システム。
【請求項７】
経路に関する情報を更新しながら格納する交通情報格納装置と、携帯端末機と、に通信可能な交通案内装置が行なう交通案内方法であって、
前記携帯端末機から、出発地、目的地および到着希望時刻を受け付ける受付ステップと、
該到着希望時刻までに該目的地に着く経路を、前記交通情報格納装置から検索する検索ステップと、
前記検索ステップにて検索された検索結果を該携帯端末機に送信する送信ステップと、
前記携帯端末機の現在位置を取得する取得ステップと、
前記携帯端末機のユーザが、前記取得された現在位置から前記検索結果に示された経路を通って前記目的地に移動する場合に、該目的地に到着する到着推定時刻を、前記交通情報格納装置を参照して推定する推定ステップと、
前記到着推定時刻が前記到着希望時刻を超えているか否かを判定する判定ステップと、
前記判定ステップにて前記到着推定時刻が前記到着希望時刻を超えていると判定されると、アラーム情報を前記携帯端末機に送信する警告送信ステップと、を含む交通案内方法。
【請求項８】
請求項７に記載の交通案内方法において、
前記判定ステップにて前記到着推定時刻が前記到着希望時刻を超えていると判定されると、前記取得された現在位置にいる前記ユーザが前記到着希望時刻までに前記目的地に着く経路を、前記交通情報格納装置から再検索する再検索ステップと、
前記再検索ステップにて再検索された再検索結果を前記携帯端末機に送信する再送信ステップと、をさらに含む交通案内方法。
【請求項９】
請求項１または２に記載の交通案内装置と通信可能な携帯端末機が行なう表示方法であって、
前記交通案内装置に、出発地、目的地および到着希望時刻を送信する出力ステップと、
前記交通案内装置から前記検索結果を受信する結果受信ステップと、
前記受信された検索結果を表示する結果表示ステップと、
前記検索結果が受信された後、現在位置を測定する測定ステップと、
前記測定された現在位置を前記交通案内装置に送信する位置送信ステップと、
前記交通案内装置から前記アラーム情報を受信する警告受信ステップと、
前記受信されたアラーム情報を表示する警告表示ステップと、を含む表示方法。
【請求項１０】
請求項９に記載の表示方法において、
前記目的地および到着希望時刻を受け付ける入力ステップと、
前記入力ステップにて前記目的地および到着希望時刻が受け付けられると、前記現在位置を前記出発地として測定する出発地測定ステップと、
前記受け付けられた目的地および到着希望時刻と、前記測定された出発地と、を前記交通案内装置に送信する受付後送信ステップと、をさらに含む表示方法。
【請求項１１】
経路に関する情報を更新しながら格納する交通情報格納装置と、携帯端末機と、前記交通情報格納装置および前記携帯端末機と通信可能な交通案内装置と、を含む交通案内システムが行なう交通案内方法であって、
前記携帯端末機が、出発地、目的地および到着希望時刻を前記交通案内装置に送信する情報送信ステップと、
前記交通案内装置が、前記携帯端末機から、前記出発地、前記目的地および前記到着希望時刻を受け付ける情報受付ステップと、
前記交通案内装置が、該到着希望時刻までに該目的地に着く経路を、前記交通情報格納装置から検索する経路検索ステップと、
前記交通案内装置が、前記経路検索ステップにて検索された検索結果を該携帯端末機に送信する経路送信ステップと、
前記携帯端末機が、前記検索結果を受信する経路受信ステップと、
前記携帯端末機が、該受信された検索結果を表示する経路表示ステップと、
前記交通案内装置が、前記携帯端末機の現在位置を取得する位置取得ステップと、
前記交通案内装置が、前記携帯端末機のユーザが、前記取得された現在位置から前記検索結果に示された経路を通って前記目的地に移動する場合に、該目的地に到着する到着推定時刻を、前記交通情報格納装置を参照して推定する時刻推定ステップと、
前記交通案内装置が、前記到着推定時刻が前記到着希望時刻を超えているか否かを判定する判断ステップと、
前記交通案内装置が、前記判断ステップにて前記到着推定時刻が前記到着希望時刻を超えていると判定されると、アラーム情報を前記携帯端末機に送信する注意送信ステップと、
前記携帯端末機が、前記アラーム情報を前記交通案内装置から受信する注意受信ステップと、
前記携帯端末機が、前記受信されたアラーム情報を表示する注意表示ステップと、を含む交通案内方法。
【請求項１２】
請求項１１に記載の交通案内方法において、
前記携帯端末機が、前記目的地および到着希望時刻を受け付ける情報入力ステップと、
前記携帯端末機が、前記情報入力ステップにて前記目的地および到着希望時刻が受け付けられると、前記現在位置を前記出発地として測定する出発位置測定ステップと、
前記携帯端末機が、前記受け付けられた目的地および到着希望時刻と、前記測定された出発地と、を前記交通案内装置に送信する測定後送信ステップと、をさらに含む交通案内方法。
【請求項１３】
経路に関する情報を更新しながら格納する交通情報格納装置と、携帯端末機と、に接続されたコンピュータに交通案内処理を実行させるプログラムであって、
前記携帯端末機から、出発地、目的地および到着希望時刻を受け付ける受付処理と、
該到着希望時刻までに該目的地に着く経路を、前記交通情報格納装置から検索する検索処理と、
前記検索処理にて検索された検索結果を該携帯端末機に送信する送信処理と、
前記携帯端末機の現在位置を取得する取得処理と、
前記携帯端末機のユーザが、前記取得された現在位置から前記検索結果に示された経路を通って前記目的地に移動する場合に、該目的地に到着する到着推定時刻を、前記交通情報格納装置を参照して推定する推定処理と、
前記到着推定時刻が前記到着希望時刻を超えているか否かを判定する判定処理と、
前記判定処理にて前記到着推定時刻が前記到着希望時刻を超えていると判定されると、アラーム情報を前記携帯端末機に送信する警告送信ステップと、を含む交通案内処理を前記コンピュータに実行させるプログラム。
【発明の詳細な説明】
【技術分野】
【０００１】
本発明は、交通案内装置、携帯端末機、交通案内システム、交通案内方法、表示方法およびプログラムに関し、特には、到着希望時刻までに目的地に到着することが可能な経路を提供する交通案内装置、携帯端末機、交通案内システム、交通案内方法、表示方法およびプログラムに関する。
【背景技術】
【０００２】
従来、携帯端末機とサーバとを含む交通案内システムが知られている。このサーバは、到着希望時刻までに目的地に到着することが可能な経路を作成し、その経路を携帯端末機に送信する。これにより、ユーザは、携帯端末機を用いて、到着希望時刻までに目的地に到着することが可能な経路を取得することが可能になっている。
【０００３】
しかしながら、電車の遅延または道路の渋滞などによる交通状況の変化により、ユーザは、取得した経路で目的地へ向かっても、到着希望時刻までに目的地に到着できない可能性がある。
【０００４】
特許文献１（特開２００３−３２９４７１号公報）には、サーバが到着希望時刻までに目的地に到着することが可能な出発時刻および経路を端末機に送信した後で、道路の渋滞などの交通情報に基づいて、出発時刻および経路を変更すべきか否かを判断する変更通知システムが記載されている。
【０００５】
この変更通知システムは、出発時刻および経路を変更すべきと判断すると、出発時刻および経路の変更を携帯端末機に送信する。これにより、出発前に交通状況が変化しても、ユーザが到着希望時刻までに目的地に到着することが可能になっている。
【特許文献１】特開２００３−３２９４７１号公報
【発明の開示】
【発明が解決しようとする課題】
【０００６】
特許文献１に記載の変更通知システムでは、ユーザが出発した後で、経路の変更を携帯端末機に送信する手段がない。このため、ユーザの出発後に交通状況が変化すると、ユーザは、サーバが送信した経路で目的地に向かって移動しても、到着希望時刻までに目的地に到着できない可能性がある。
【０００７】
本発明の目的は、出発後に交通状況が変化しても、ユーザを到着希望時刻までに目的地に到着させることが可能な交通案内装置、携帯端末機、交通案内システム、交通案内方法、表示方法およびプログラムを提供することである。
【課題を解決するための手段】
【０００８】
前記目的を達成するために、本発明の交通案内装置は、経路に関する情報を更新しながら格納する交通情報格納装置と、携帯端末機と、に通信可能な交通案内装置であって、前記携帯端末機から、出発地、目的地および到着希望時刻を受け付けると、該到着希望時刻までに該目的地に着く経路を、前記交通情報格納装置から検索し、その検索結果を該携帯端末機に送信する管理手段と、前記管理手段が前記検索結果を前記携帯端末機に送信した後に、前記携帯端末機の現在位置を取得する取得手段と、前記携帯端末機のユーザが、前記取得手段にて取得された現在位置から前記検索結果に示された経路を通って前記目的地に移動する場合に、該目的地に到着する到着推定時刻を、前記交通情報格納装置を参照して推定し、該到着推定時刻が前記到着希望時刻を超えているか否かを判定する判定手段と、前記判定手段にて前記到着推定時刻が前記到着希望時刻を超えていると判定されると、アラーム情報を前記携帯端末機に送信する通信手段と、を含む。
【０００９】
また、本発明の交通案内方法は、経路に関する情報を更新しながら格納する交通情報格納装置と、携帯端末機と、に通信可能な交通案内装置が行なう交通案内方法であって、前記携帯端末機から、出発地、目的地および到着希望時刻を受け付ける受付ステップと、該到着希望時刻までに該目的地に着く経路を、前記交通情報格納装置から検索する検索ステップと、前記検索ステップにて検索された検索結果を該携帯端末機に送信する送信ステップと、前記携帯端末機の現在位置を取得する取得ステップと、前記携帯端末機のユーザが、前記取得された現在位置から前記検索結果に示された経路を通って前記目的地に移動する場合に、該目的地に到着する到着推定時刻を、前記交通情報格納装置を参照して推定する推定ステップと、前記到着推定時刻が前記到着希望時刻を超えているか否かを判定する判定ステップと、前記判定ステップにて前記到着推定時刻が前記到着希望時刻を超えていると判定されると、アラーム情報を前記携帯端末機に送信する警告送信ステップと、を含む。
【００１０】
また、本発明の携帯端末機は、前記交通案内装置に、出発地、目的地および到着希望時刻を送信し、該交通案内装置から前記検索結果を受信する接続手段と、前記接続手段が受信した検索結果を表示する表示手段と、を含む携帯端末機において、現在位置を測定する測定手段と、前記接続手段が前記検索結果を受信した後、前記測定手段が測定した現在位置を前記接続手段から前記交通案内装置に送信する処理手段と、を含み、前記接続手段は、前記交通案内装置から前記アラーム情報を受信し、前記表示手段は、前記接続手段が受信したアラーム情報を表示することを特徴とする。
【００１１】
また、本発明の表示方法は、前記交通案内装置と通信可能な携帯端末機が行なう表示方法であって、前記交通案内装置に、出発地、目的地および到着希望時刻を送信する出力ステップと、前記交通案内装置から前記検索結果を受信する結果受信ステップと、前記受信された検索結果を表示する結果表示ステップと、前記検索結果が受信された後、現在位置を測定する測定ステップと、前記測定された現在位置を前記交通案内装置に送信する位置送信ステップと、前記交通案内装置から前記アラーム情報を受信する警告受信ステップと、前記受信されたアラーム情報を表示する警告表示ステップと、を含む。
【００１２】
また、本発明の交通案内システムは、経路に関する情報を更新しながら格納する交通情報格納装置と、携帯端末機と、前記交通情報格納装置および前記携帯端末機と通信可能な交通案内装置と、を含む交通案内システムであって、前記交通案内装置は、前記携帯端末機から、出発地、目的地および到着希望時刻を受け付けると、該到着希望時刻までに該目的地に着く経路を、前記交通情報格納装置から検索し、その検索結果を該携帯端末機に送信する管理手段と、前記管理手段が前記検索結果を前記携帯端末機に送信した後に、前記携帯端末機の現在位置を取得する取得手段と、前記携帯端末機のユーザが、前記取得手段にて取得された現在位置から前記検索結果に示された経路を通って前記目的地に移動する場合に、該目的地に到着する到着推定時刻を、前記交通情報格納装置を参照して推定し、該到着推定時刻が前記到着希望時刻を超えているか否かを判定する判定手段と、前記判定手段にて前記到着推定時刻が前記到着希望時刻を超えていると判定されると、アラーム情報を前記携帯端末機に送信する通信手段と、を含み、前記携帯端末機は、前記出発地、前記目的地および前記到着希望時刻を前記交通案内装置に送信し、前記検索結果およびアラーム情報を前記交通案内装置から受信する接続手段と、前記接続手段が受信した検索結果およびアラーム情報を表示する表示手段と、を含む。
【００１３】
また、本発明の交通案内方法は、経路に関する情報を更新しながら格納する交通情報格納装置と、携帯端末機と、前記交通情報格納装置および前記携帯端末機と通信可能な交通案内装置と、を含む交通案内システムが行なう交通案内方法であって、前記携帯端末機が、出発地、目的地および到着希望時刻を前記交通案内装置に送信する情報送信ステップと、前記交通案内装置が、前記携帯端末機から、前記出発地、前記目的地および前記到着希望時刻を受け付ける情報受付ステップと、前記交通案内装置が、該到着希望時刻までに該目的地に着く経路を、前記交通情報格納装置から検索する経路検索ステップと、前記交通案内装置が、前記経路検索ステップにて検索された検索結果を該携帯端末機に送信する経路送信ステップと、前記携帯端末機が、前記検索結果を受信する経路受信ステップと、前記携帯端末機が、該受信された検索結果を表示する経路表示ステップと、前記交通案内装置が、前記携帯端末機の現在位置を取得する位置取得ステップと、前記交通案内装置が、前記携帯端末機のユーザが、前記取得された現在位置から前記検索結果に示された経路を通って前記目的地に移動する場合に、該目的地に到着する到着推定時刻を、前記交通情報格納装置を参照して推定する時刻推定ステップと、前記交通案内装置が、前記到着推定時刻が前記到着希望時刻を超えているか否かを判定する判断ステップと、前記交通案内装置が、前記判断ステップにて前記到着推定時刻が前記到着希望時刻を超えていると判定されると、アラーム情報を前記携帯端末機に送信する注意送信ステップと、前記携帯端末機が、前記アラーム情報を前記交通案内装置から受信する注意受信ステップと、前記携帯端末機が、前記受信されたアラーム情報を表示する注意表示ステップと、を含む。
【００１４】
上記の発明によれば、ユーザが現在位置から検索結果が示す経路を通って目的地に到着する到着推定時刻が到着希望時刻を超えていると、アラーム情報が送信される。また、到着推定時刻は、経路に関する情報を、例えば、交通状況の変化に応じて更新しながら格納する交通情報格納装置が参照されることで、推定される。
【００１５】
このため、ユーザは、出発した後でも、検索結果が示す経路で到着希望時刻までに目的地に到着することが可能か否かを確認できる。よって、ユーザは、出発後に交通状況が変化して、その経路では到着希望時刻までに目的地に到着できなくても、到着希望時刻までに目的地に到着することが可能な経路を調べるなどすれば、到着希望時刻までに目的地に到着することが可能になる。
【００１６】
また、本発明の交通案内方法は、前記判定ステップにて前記到着推定時刻が前記到着希望時刻を超えていると判定されると、前記取得された現在位置にいる前記ユーザが前記到着希望時刻までに前記目的地に着く経路を、前記交通情報格納装置から再検索する再検索ステップと、前記再検索ステップにて再検索された再検索結果を前記携帯端末機に送信する再送信ステップと、をさらに含む。
【００１７】
上記の発明によれば、到着推定時刻が到着希望時刻を超えていると、到着希望時刻までに目的地に着く経路が再検索される。また、その再検索結果が携帯端末機に送信される。
【００１８】
このため、ユーザは、出発後に交通状況が変化して、検索結果が示す経路では到着希望時刻までに目的地に到着することができなくても、目的地に到着希望時刻までに到着することが可能な経路を取得することが可能になる。
【００１９】
また、本発明の表示方法は、前記目的地および到着希望時刻を受け付ける入力ステップと、前記入力ステップにて前記目的地および到着希望時刻が受け付けられると、前記現在位置を前記出発地として測定する出発地測定ステップと、前記受け付けられた目的地および到着希望時刻と、前記測定された出発地と、を前記交通案内装置に送信する受付後送信ステップと、をさらに含む。
【００２０】
上記の発明によれば、目的地および到着希望時刻が受け付けられると、交通案内装置から検索結果が受信される。このため、ユーザは、目的地および到着希望時刻を入力するだけで検索結果を取得することが可能になる。よって、検索結果を取得する手間を軽減することが可能になる。
【００２１】
また、本発明のプログラムは、経路に関する情報を更新しながら格納する交通情報格納装置と、携帯端末機と、に接続されたコンピュータに交通案内処理を実行させるプログラムであって、前記携帯端末機から、出発地、目的地および到着希望時刻を受け付ける受付処理と、該到着希望時刻までに該目的地に着く経路を、前記交通情報格納装置から検索する検索処理と、前記検索処理にて検索された検索結果を該携帯端末機に送信する送信処理と、前記携帯端末機の現在位置を取得する取得処理と、前記携帯端末機のユーザが、前記取得された現在位置から前記検索結果に示された経路を通って前記目的地に移動する場合に、該目的地に到着する到着推定時刻を、前記交通情報格納装置を参照して推定する推定処理と、前記到着推定時刻が前記到着希望時刻を超えているか否かを判定する判定処理と、前記判定処理にて前記到着推定時刻が前記到着希望時刻を超えていると判定されると、アラーム情報を前記携帯端末機に送信する警告送信ステップと、を含む交通案内処理を前記コンピュータに実行させる。
【００２２】
上記の発明によれば、前記交通案内方法をコンピュータに実行させることが可能になる。
【発明の効果】
【００２３】
本発明によれば、出発後に交通状況が変化しても、ユーザを到着希望時刻までに目的地に到着させることが可能になる。
【発明を実施するための最良の形態】
【００２４】
以下、本発明の実施例について図面を参照して説明する。
【００２５】
図１は、本発明の一実施例の交通案内システムを示したブロック図である。図１において、交通案内システムは、交通情報格納サーバ１と、交通情報提供サーバ２と、携帯端末機３とを含む。また、交通情報提供サーバ２および携帯端末機３は、ネットワーク網４および公衆無線電話網５を介して接続されている。
【００２６】
ネットワーク網４は、例えば、インターネットである。なお、ネットワーク網４は、インターネットに限らず、他の通信網と変更可能である。公衆無線電話網５は、ネットワーク網４および携帯端末機３と接続可能な無線通信網である。
【００２７】
ＧＰＳ衛星６は、携帯端末機３が自己の現在位置を測定するための測位信号を、携帯端末機３に送信する。
【００２８】
交通情報格納サーバ１は、常に最新の交通情報を格納する。交通情報は、経路に関する情報である。具体的には、交通情報は、交通手段、その交通手段の時刻表、その交通手段の発着場所（例えば、駅またはタクシー乗り場）、電車の遅延情報および道路の渋滞情報などを含む。
【００２９】
交通情報提供サーバ２は、少なくとも、ユーザが目的地に到着希望時刻までに到着する推奨経路、を示す最適交通情報を提供する。なお、推奨経路は、目的地までの交通手段などを示す。なお、推奨経路が示す交通手段は、単一的な交通手段（例えば、電車のみ）に限らない。推奨経路が示す交通手段は、例えば、電車、タクシーおよびバスなどを含む総合的な交通手段である。
【００３０】
また、交通情報提供サーバ２は、交通情報格納サーバ１に格納されている交通情報の読取りおよび書込みを行うことでその交通情報を更新して、交通情報格納サーバ１が格納する交通情報を常に最新の交通情報にする。
【００３１】
交通情報提供サーバ２は、記憶部１０と、メモリ１１と、制御部１２と、通信部１３とを含む。
【００３２】
記憶部１０は、制御部１２の動作を規定するアプリケーションプログラムを記憶する。メモリ１１は、例えば、ＲＡＭなど、ＣＰＵにて読み取り可能な記録媒体であり、記憶部１０が記憶しているアプリケーションプログラムのワークエリアとして用いられる。
【００３３】
制御部１２は、例えば、ＣＰＵであり、記憶部１０に記憶されたアプリケーションプログラムを取得し、取得したアプリケーションプログラムを、メモリ１１をワークエリアとして用いて実行し、管理部２０と、時計部２１と、取得部２２と、判定部２３と、作成部２４とを実現する。
【００３４】
通信部１３は、ネットワーク網４および公衆無線電話網５を介して携帯端末機３と接続される。
【００３５】
管理部２０は、最適交通情報を提供する提供サイトを開設する。提供サイトは、少なくとも、最適交通情報を検索するための検索用情報を入力する旨の入力要求を含む。検索用情報は、目的地および到着希望時刻を含む。
【００３６】
また、提供サイトは、現在時刻を含むことが望ましい。なお、現在時刻は、時計部２１にて測定される。管理部２０は、時計部２１にて測定された現在時刻を随時取得し、取得した現在時刻を含む提供サイトを開設する。
【００３７】
図２は、提供サイトの一例を示した図である。図２において、提供サイトは、到着希望時刻入力ボックス２０１と、目的地入力ボックス２０２とを含む。到着希望時刻入力ボックス２０１および目的地入力ボックス２０２は、入力要求である。
【００３８】
また、管理部２０は、交通情報格納サーバ１に通信部１３を介してアクセスして、交通情報格納サーバ１が格納する交通情報を更新する。
【００３９】
管理部２０は、携帯端末機３から、通信部１３を介して、最適交通情報を検索するための検索要求用情報を受け付けると、交通情報格納サーバ１が格納している交通情報から、その検索要求用情報に該当する最適交通情報を検索する。なお、検索要求用情報は、ユーザの出発地、目的地および到着希望時間を含む。
【００４０】
図３は、最適交通情報の一例を示した図である。
【００４１】
管理部２０は、最適交通情報を検索すると、検索した最適交通情報を、通信部１３を介して携帯端末機３に出力する。
【００４２】
管理部２０は、携帯端末機３から、通信部１３を介して、最適交通情報の検索を終了する旨の終了要求を受け付けると、その最適交通情報および到着希望時刻を記憶部１０に記憶する。
【００４３】
その後、管理部２０は、交通情報格納サーバ１に格納されている交通情報を更新すると、取得部２２に動作命令を出力する。
【００４４】
取得部２２は、管理部２０から動作命令を受け付けると、携帯端末機３の現在位置を取得する。具体的には、取得部２２は、現在位置を取得する旨の取得要求を、通信部１３を介して携帯端末機３に送信する。その後、管理部２０は、携帯端末機３から、通信部１３を介して現在位置を受け付ける。
【００４５】
取得部２２は、現在位置を取得すると、取得した現在位置を判定部２３に出力する。
【００４６】
判定部２３は、取得部２２から現在位置を受け付けると、時計部２１から現在時刻を取得すると共に、記憶部１０から最適交通情報および到着希望時刻を取得する。判定部２３は、現在時刻、最適交通情報および到着希望時刻を取得すると、通信部１３を介して交通情報格納サーバ１にアクセスする。
【００４７】
判定部２３は、交通情報格納サーバ１にアクセスすると、交通情報格納サーバ１に格納された交通情報を参照しながら、取得した現在時刻、最適交通情報および到着希望時刻に基づいて、到着推定時刻を推定する。到着推定時刻は、ユーザが現在時刻で現在位置を出発して最適交通情報が示す推奨経路を通って目的地に向かった場合に、ユーザが目的地に到着する時刻である。
【００４８】
判定部２３は、到着推定時刻を推定すると、その到着推定時刻と到着希望時刻とを比較して、到着推定時刻が到着希望時刻を超えているか否かを判定する。
【００４９】
到着推定時刻が到着希望時刻を超えていると、判定部２３は、その現在時刻、現在位置および到着希望時刻を作成部２４に出力する。一方、到着推定時刻が到着希望時刻を超えていないと、判定部２３は動作を終了する。
【００５０】
作成部２４は、判定部２３から現在時刻、現在位置および到着希望時刻を受け付けると、交通情報格納サーバ１に格納されている交通情報を参照して、その現在時刻、現在位置および到着希望時刻とに該当する最適交通情報の変更提案およびアラームメッセージを作成する。
【００５１】
変更提案は、現在時刻で現在位置を出発して、到着希望時刻までに目的地に到着することが可能な、現在位置から目的地までの変更経路を示す。アラームメッセージは、到着推定時刻が到着希望時刻より超えている旨、および、到着推定時刻が到着希望時刻より超えている原因の少なくともどちらか一方を示す。例えば、アラームメッセージは、「電車事故により遅延発生」を示す。
【００５２】
図４は、変更提案およびアラームメッセージの一例を示した図である。具体的には、図４は、図３において、ユーザが品川駅に到着後に、ＪＲ京浜東北線の線路上に電車事故があった場合の変更提案である。なお、ユーザは、品川駅までは最適交通情報に従って移動したとする。
【００５３】
作成部２４は、変更提案およびアラームメッセージを作成すると、作成した変更提案およびアラームメッセージを、通信部１３を介して、携帯端末機３に送信する。
【００５４】
携帯端末機３は、例えば、携帯電話機であり、ネットワーク網４および公衆無線電話網５を介して、交通情報提供サーバ２と相互に接続される。
【００５５】
携帯端末機３は、入力部３０と、処理部３１と、表示部３２と、位置測定部３３と、接続部３４とを含む。
【００５６】
入力部３０は、交通情報提供サーバにアクセスする旨のアクセス要求、検索用情報、最適交通情報を検索する旨の検索要求、終了要求、および、最適交通情報の検索を再度行なう旨の再検索要求を、ユーザから受け付ける。
【００５７】
処理部３１は、入力部３０がアクセス要求を受け付けると、交通情報提供サーバ２の管理部２０から提供サイトを取得し、取得した提供サイトを表示部３２に表示する。
【００５８】
処理部３１は、提供サイトを表示部３２に表示した後で、入力部３０が検索用情報を受け付けると、受け付けた検索用情報を表示部３２に表示する。
【００５９】
図５は、検索用情報が入力された提供サイトの一例を示した図である。
【００６０】
処理部３１は、入力部３０が検索要求を受け付けると、位置測定部３３に現在位置を測定する旨の測定命令を出力する。処理部３１は、位置測定部３３から現在位置を出発地として受け付け、検索要求用情報を作成する。処理部３１は、検索要求用情報を作成すると、作成した検索要求用情報を、接続部３４を介して、交通情報提供サーバ２に送信する。
【００６１】
処理部３１は、接続部３４が交通情報提供サーバ２から最適交通情報を受信すると、その最適交通情報と、選択要求と、を表示部３２に表示する。選択要求は、最適交通情報の検索を終了する、および、最適交通情報の検索を再度行なう、のどちらか一方の選択を要求する。
【００６２】
処理部３１は、入力部３０が終了要求を受け付けると、その終了要求を、接続部３４を介して、交通情報提供サーバ２に出力する。一方、処理部３１は、入力部３０が再検索要求を受け付けると、交通情報提供サーバ２の管理部２０から提供サイトを取得する。
【００６３】
処理部３１は、接続部３４が交通情報提供サーバ２から変更提案およびアラームメッセージを受信すると、その変更提案およびアラームメッセージを表示部３２に表示する。
【００６４】
位置測定部３３は、処理部３１から測定命令を受け付けると、現在位置を測定する。例えば、位置測定部３３は、ＧＰＳ衛星６から測位信号を受信して、その測位信号に基づいて現在位置を測定する。また、位置測定部３３は、無線通信システムの無線基地局（図示せず）から現在位置を取得してもよい。
【００６５】
位置測定部３３は、現在位置を測定すると、測定した現在位置を処理部３１に出力する。
【００６６】
次に動作を説明する。
【００６７】
図６は、交通案内システムの動作を説明するためのフローチャートである。具体的には、最適交通情報を検索する交通案内システムの動作を説明するためのフローチャートである。
【００６８】
入力部３０は、ユーザからアクセス要求を受け付けると、ステップＳ６０１を実行する。
【００６９】
ステップＳ６０１では、入力部３０は、そのアクセス要求を処理部３１に出力する。処理部３１は、アクセス要求を受け付けると、接続部３４、公衆無線電話網４、ネットワーク網３および交通情報提供サーバ２の通信部１３とを介して、管理部２０にアクセスする。処理部３１は、管理部２０にアクセスすると、ステップＳ６０２を実行する。
【００７０】
ステップＳ６０２では、処理部３１は、管理部２０から提供サイトを取得する。処理部３１は、提供サイトを取得すると、その提供サイトを表示部３２に表示する。処理部３１がステップＳ６０２を終了すると、入力部３０がステップＳ６０３を実行する。
【００７１】
ステップＳ６０３では、入力部３０は、検索用情報を受け付けたか否かを確認する。入力部３０は、検索用情報を受け付けると、ステップＳ６０４を実行し、検索用情報を受け付けないと、ステップＳ６０３を実行する。
【００７２】
ステップＳ６０４では、入力部３０は、受け付けた検索用情報を処理部３１に出力する。処理部３１は、検索用情報を受け付けると、受け付けた検索用情報を表示部３２に表示する。処理部３１がステップＳ６０４を終了すると、入力部３０がステップＳ６０５を実行する。
【００７３】
ステップＳ６０５では、入力部３０は、検索要求を受け付けたか否かを確認する。入力部３０は、検索要求を受け付けるとステップＳ６０６を実行し、検索要求を受け付けないと、ステップＳ６０５を実行する。
【００７４】
ステップＳ６０６では、入力部３０は、その検索要求を処理部３１に出力する。処理部３１は、検索要求を受け付けると、位置測定部３３に測定命令を出力する。位置測定部３３は、測定命令を受け付けると、現在位置を測定する。位置測定部３３は、現在位置を測定すると、ステップＳ６０７を実行する。
【００７５】
ステップＳ６０７では、位置測定部３３は、その現在位置を処理部３１に出力する。処理部３１は、現在位置を出発地として受け付けると、検索要求用情報を作成する。処理部３１は、検索要求用情報を作成すると、ステップＳ６０８を実行する。
【００７６】
ステップＳ６０８では、処理部３１は、その検索要求用情報を接続部３４、公衆無線電話網５およびネットワーク網４を介して通信部１３に送信する。通信部１３は、検索要求用情報を受信すると、その検索要求用情報を管理部２０に出力する。管理部２０は、検索要求用情報を受け付けると、ステップＳ６０９を実行する。
【００７７】
ステップＳ６０９では、管理部２０は、通信部１３を介して、交通情報格納サーバ１にアクセスする。管理部２０は、交通情報格納サーバ１にアクセスすると、交通情報格納サーバ１が格納している交通情報から、その検索要求用情報に該当する、最適交通情報を検索する。制御部１２は、最適交通情報を検索すると、ステップＳ６１０を実行する。
【００７８】
ステップＳ６１０では、管理部２０は、その最適交通情報を通信部１３、ネットワーク網４および公衆無線電話網５を介して携帯端末機３の接続部３４に送信する。接続部３４は、最適交通情報を受信すると、ステップＳ６１１を実行する。
【００７９】
ステップＳ６１１では、接続部３１は、その最適交通情報を処理部３１に出力する。処理部３１は、最適交通情報を受け付けると、受け付けた最適交通情報と、選択要求と、を表示部３２に表示する。処理部３１がステップＳ６１１を終了すると、入力部３０がステップＳ６１２を実行する。
【００８０】
ステップＳ６１２では、入力部３０が終了要求を受け付けたか否かを確認する。入力部３０は、終了要求を受け付けると、ステップＳ６１５を実行し、終了要求を受け付けないと、ステップＳ６１３を実行する。
【００８１】
ステップＳ６１３では、入力部３０が再検索要求を受け付けたか否かを確認する。入力部３０は、再検索要求を受け付けると、ステップＳ６１４を実行し、再検索要求を受け付けないと、ステップＳ６１２を実行する。
【００８２】
ステップＳ６１４では、入力部３０は、その再検索要求を処理部３１に出力する。処理部３１は、再検索要求を受け付けると、交通情報提供サーバ２の管理部２０にアクセスする。処理部３１は、管理部２０にアクセスすると、ステップＳ６０２を実行する。
【００８３】
ステップＳ６１５では、入力部３０は、終了要求を処理部３１に出力する。処理部３１は、終了要求を受け付けると、その終了要求を接続部３４、公衆無線電話網５およびネットワーク網４を介して、交通情報提供サーバ２の通信部１３に送信する。通信部１３は、終了要求を受信すると、ステップＳ６１６を実行する。
【００８４】
ステップＳ６１６では、通信部１３は、その終了要求を管理部２０に出力する。管理部２０は、終了要求を受け付けると、その最適交通情報および到着希望時刻を記憶部１０に記憶する。
【００８５】
図６は、交通案内システムの動作を説明するためのフローチャートである。具体的には、変更提案を表示する交通案内システムの動作を説明するためのフローチャートである。
【００８６】
取得部２２は、動作命令を受け付けると、ステップＳ７０１を実行する。
【００８７】
ステップＳ７０１では、取得部２２は、取得要求を通信部１３、ネットワーク網４および公衆電話網３を介して携帯端末機３の接続部３４に送信する。接続部３４は、取得要求を受信すると、受信した取得要求を処理部３１に出力する。処理部３１は、取得要求を受け付けると、ステップＳ７０２を実行する。
【００８８】
ステップＳ７０２では、処理部３１は、位置測定部３３に測定命令を出力する。位置測定部３３は、測定命令を受け付けると、現在位置を測定する。位置測定部３３は、現在位置を測定すると、測定した現在位置を処理部３１に出力する。処理部３１は、現在位置を受け付けると、ステップＳ７０３を実行する。
【００８９】
ステップＳ７０３では、処理部３１は、その現在位置を接続部３４、公衆無線電話網５およびネットワーク網４を介して、交通情報提供サーバ２の通信部１３に送信する。通信部１３は、現在位置を受信すると、その現在位置を取得部２２に出力する。取得部２２は、現在位置を受け付けると、ステップＳ７０４を実行する。
【００９０】
ステップＳ７０４では、取得部２２は、その現在位置を判定部２３に出力する。判定部２３は、現在位置を受け付けると、時計部２１から現在時刻を取得すると共に、記憶部１０から最適交通情報および到着希望時刻を取得する。判定部２３は、現在時刻、最適交通情報および到着希望時刻を取得すると、通信部１３を介して交通情報格納サーバ１にアクセスする。判定部２３は、交通情報格納サーバ１にアクセスすると、ステップＳ７０５を実行する。
【００９１】
ステップＳ７０５では、判定部２３は、交通情報格納サーバ１に格納された交通情報を参照しながら、取得した現在位置、現在時刻および最適交通情報に基づいて、到着推定時刻を推定する。判定部２３は、到着推定時刻を推定すると、その到着推定時刻と到着希望時刻とを比較して、到着推定時刻が到着希望時刻を超えているか否かを判定する。
【００９２】
判定部２３は、到着推定時刻が到着希望時刻を超えていると、ステップＳ７０６を実行し、到着推定時刻が到着希望時刻を超えていないと、ステップＳ７０７を実行する。
【００９３】
ステップＳ７０６では、判定部２３は、その現在時刻、現在位置および到着希望時刻を作成部２４に出力する。作成部２４は、現在時刻、現在位置および到着希望時刻を受け付けると、ステップＳ７０８を実行する。
【００９４】
一方、ステップＳ７０７では、判定部２３は、動作を終了する。
【００９５】
ステップＳ７０８では、作成部２４は、通信部１３を介して交通情報格納サーバ１にアクセスする。作成部２４は、交通情報格納サーバ１にアクセスすると、交通情報格納サーバ１に格納されている交通情報を参照して、その現在時刻、現在位置および到着希望時刻に該当する最適交通情報の変更提案およびアラームメッセージを作成する。作成部２４は、変更提案およびアラームメッセージを作成すると、ステップＳ７０９を実行する。
【００９６】
ステップＳ７０９では、作成部２４は、その変更提案およびアラームメッセージを通信部１３、ネットワーク網４および公衆無線電話網５を介して、携帯端末機３の接続部３４に送信する。接続部３４は、変更提案およびアラームメッセージを受信すると、ステップＳ７１０を実行する。
【００９７】
ステップ６１０では、接続部３４は、その変更提案およびアラームメッセージを処理部３１に出力する。処理部３１は、変更提案およびアラームメッセージを受け付けると、受け付けた変更提案およびアラームメッセージを表示部３２に表示する。
【００９８】
本実施例によれば、管理部２０は、出発地、目的地および到着希望時刻を受け付けると、到着希望時刻までに目的地に着く推奨経路を交通情報格納装置から検索し、推奨経路を示す最適交通情報を携帯端末機３に送信する。その後、取得部２２は、携帯端末機３から現在位置を取得する。判定部２３は、交通情報格納サーバ１が格納する交通情報を参照して、ユーザが現在位置から最適交通情報が示す推奨経路に従って目的地に移動したときにその目的地に到着する到着推定時刻を推定する。判定部２３は、その到着推定時刻が到着希望時刻を超えているか否かを判定する。到着推定時刻が到着希望時刻を超えていると、通信部１３は、アラームメッセージを携帯端末機３に送信する。接続部３４がアラームメッセージを受信すると、表示部３２は、そのアラームメッセージを表示する。
【００９９】
この場合、ユーザが現在位置から最適交通情報が示す経路を通って目的地に到着する到着推定時刻が到着希望時刻を超えていると、アラームメッセージが送信される。また、到着推定時刻は、交通情報格納サーバ１に格納された、例えば、交通状況の変化に応じて更新される、交通情報が参照されることで、推定される。
【０１００】
このため、ユーザは、出発した後でも、検索された経路で到着希望時刻までに目的地に到着することが可能か否かを確認できる。よって、ユーザは、出発後に交通状況が変化して、検索された経路では到着希望時刻までに目的地に到着できなくても、到着希望時刻までに目的地に到着することが可能な経路を調べるなどすれば、到着希望時刻までに目的地に到着することが可能になる。
【０１０１】
また、本実施例では、判定部２３が着推定時刻が到着希望時刻を超えていると判定すると、作成部２４は、交通情報格納サーバ１に格納されている交通情報を参照して、現在位置にいるユーザが到着希望時刻までに目的地に着く変更経路を示す変更提案を作成する。作成部２４は、変更提案を作成すると、その変更提案を、携帯端末機３に送信する。
【０１０２】
このため、ユーザは、出発後に交通状況が変化して、推奨経路では到着希望時刻までに目的地に到着することができなくても、目的地に到着希望時刻までに到着することが可能な経路を取得することが可能になる。
【０１０３】
また、本実施例では、入力部３０が目的地および到着希望時刻を受け付けると、測定部３３が現在位置を出発地として測定する。接続部３４がその出発地、目的地および到着希望時刻を交通情報サーバ１に送信し、その後、交通情報サーバ１から最適交通情報を受信する。
【０１０４】
この場合、目的地および到着希望時刻が受け付けられると、交通情報提供サーバ１から最適交通情報が受信される。このため、ユーザは、目的地および到着希望時刻を入力するだけで検索結果を取得することが可能になる。よって、検索結果を取得する手間を軽減することが可能になる。
【０１０５】
以上説明した実施例において、図示した構成は単なる一例であって、本発明はその構成に限定されるものではない。
【０１０６】
例えば、ステップＳ６１５において、処理部３１は、終了要求を受け付けると、変更提案およびアラームメッセージの作成を行なうか否かの判断する旨の作成選択要求を表示部３２に表示してもよい。
【０１０７】
その後、入力部３０は、変更提案およびアラームメッセージの作成を行なう旨の作成要求を受け付けると、その作成要求を処理部３１に出力する。処理部３１は、作成要求を受け付けると、その作成要求を、接続部３４、公衆無線電話網５、ネットワーク網４および通信部１３を介して管理部２０に出力する。
【０１０８】
管理部２０は、作成要求を受け付けると、記憶部１０に最適交通情報および到着希望時刻を記憶する。また、管理部２０は、到着推定時刻と到着希望時刻との比較を行なう設定を自己に設定する。この場合、管理部２０は、交通情報格納サーバ１に格納されている交通情報を更新すると、取得部２２に動作命令を出力する。
【０１０９】
一方、入力部３０は、変更提案およびアラームメッセージの作成を行なわない旨の非作成要求を受け付けると、その非作成要求を処理部３１に出力する。処理部３１は、非作成要求を受け付けると、その非作成要求を接続部３４、公衆無線電話網５、ネットワーク網４および通信部１３を介して管理部２０に出力する。
【０１１０】
管理部２０は、到着推定時刻と到着希望時刻との比較を行なわない設定を自己に設定する。この場合、管理部２０は、交通情報格納サーバ１に格納されている交通情報を更新しても、取得部２２に動作命令を出力しない。
【図面の簡単な説明】
【０１１１】
【図１】交通案内システムを示したブロック図である。
【図２】提供サイトの一例を示した図である。
【図３】交通情報の一例を示した図である。
【図４】変更提案およびアラームメッセージの一例を示した図である。
【図５】検索用情報が入力された提供サイトの一例を示した図である。
【図６】交通案内システムの動作の一例を説明するためのフローチャートである。
【図７】交通案内システムの他の動作例を説明するためのフローチャートである。
【符号の説明】
【０１１２】
１        交通情報格納サーバ
２        交通情報提供サーバ
３        携帯端末機
４        ネットワーク網
５        公衆無線電話網
６        ＧＰＳ衛星
１０      記憶部
１１      メモリ
１２      制御部
１３      通信部
２０      管理部
２１      時計部
２２      取得部
２３      判定部
２４      作成部
３０      入力部
３１      処理部
３２      表示部
３３      位置測定部
３４      接続部
２０１    到着希望時刻入力ボックス
２０２    目的地入力ボックス
【図１】
2007232686.tif 000003
【図２】
2007232686.tif 000004
【図３】
2007232686.tif 000005
【図４】
2007232686.tif 000006
【図５】
2007232686.tif 000007
【図６】
2007232686.tif 000008
【図７】
2007232686.tif 000009